(57)【要約】【課題】多色の印刷機で印刷される印刷画像も高精度に再現することができる色変換装置、および色変換プログラムを提供することを目的とする。【解決手段】ターゲットデバイスで出力されるターゲット画像を、出力デバイスによって再現するために、入力画像データを出力デバイス用の出力画像データに変換する色変換装置において、入力画像データを、デバイスに非依存の共通色空間で色が定義された共通画像データに変換する第１の変換部と、第１の変換部で変換された共通画像データが表わす色を、共通色空間上におけるターゲットデバイスの色再現領域内の色に変換することで共通画像データをマッピング画像データに変換するマッピング部と、マッピング部で変換されたマッピング画像データを出力画像データに変換する第２の変換部とを備えた。【選択図】        図７
2007318662.tif 000002
【特許請求の範囲】
【請求項１】
所定のターゲット色空間で色が定義されたターゲット画像データに基づいて画像を出力するターゲットデバイスにおいて、所定の入力色空間で色が定義された入力画像データの変換で得られるターゲット画像データに基づいて出力されるターゲット画像が、所定の出力色空間で色が定義された出力画像データに基づいて画像を出力する出力デバイスによって再現されるように、前記入力画像データを前記出力画像データに変換する色変換装置において、
前記入力画像データを、デバイスに非依存の共通色空間で色が定義された共通画像データに変換する第１の変換部と、
前記第１の変換部で変換された共通画像データが表わす色を、前記共通色空間上における前記ターゲットデバイスの色再現領域内の色に変換することで該共通画像データをマッピング画像データに変換するマッピング部と、
前記マッピング部で変換されたマッピング画像データを前記出力画像データに変換する第２の変換部とを備えたことを特徴とする色変換装置。
【請求項２】
前記第１の変換部で変換された共通画像データをターゲット画像データに変換する第３の変換部と、
前記第２の変換部で変換された出力画像データを前記出力デバイスに向けて出力する第１の出力部と、
前記第３の変換部で変換されたターゲット画像データを前記ターゲットデバイスに向けて出力する第２の出力部とを備えたことを特徴とする請求項１記載の色変換装置。
【請求項３】
コンピュータ内で実行され、該コンピュータ上に、所定のターゲット色空間で色が定義されたターゲット画像データに基づいて画像を出力するターゲットデバイスにおいて、所定の入力色空間で色が定義された入力画像データの変換で得られるターゲット画像データに基づいて出力されるターゲット画像が、所定の出力色空間で色が定義された出力画像データに基づいて画像を出力する出力デバイスによって再現されるように、前記入力画像データを前記出力画像データに変換する色変換装置を構築する色変換プログラムにおいて、
前記入力画像データを、デバイスに非依存の共通色空間で色が定義された共通画像データに変換する第１の変換部と、
前記第１の変換部で変換された共通画像データが表わす色を、前記共通色空間上における前記ターゲットデバイスの色再現領域内の色に変換することで該共通画像データをマッピング画像データに変換するマッピング部と、
前記マッピング部で変換されたマッピング画像データを前記出力画像データに変換する第２の変換部とを構築することを特徴とする色変換プログラム。
【発明の詳細な説明】
【技術分野】
【０００１】
本発明は、入力画像データを、その入力画像データに基づいてターゲットデバイスで出力されるターゲット画像のプルーフ画像を出力するためのプルーファ用の画像データに変換する色変換装置、および色変換プログラムに関する。
【背景技術】
【０００２】
印刷の分野においては、コンピュータを利用して編集の作業を行うＤＴＰ（ＤｅｓｋＴｏｐ  Ｐｕｂｌｉｓｈｉｎｇ）が広範に適用されてきている。ＤＴＰが適用されることによって、オペレータは、コンピュータの表示画面上で、印刷物のイメージを確認しながら文字や画像の編集を行うことができる。
【０００３】
また、カラー印刷機を用いた印刷は、フィルム原版を作成し、さらに刷版を作成するなど大がかりなうえコストがかかる作業である。したがって、従来より、印刷を行う前には、カラー印刷機に比べて手軽なプルーファを用いて、そのカラー印刷機で印刷されるカラー画像の色と極力同じ色に似せたプルーフ画像を作成することが行われている。プルーフ画像を作成することによって、編集作業を行うオペレータだけではなく、印刷作業を行うオペレータなども、印刷前に印刷画像の色やレイアウトを確認することができ、印刷作業にかかる手間やコストを大幅に抑えることができる。
【０００４】
ところで、通常、カラー印刷機は、Ｃ（シアン）、Ｍ（マゼンタ）、Ｙ（イエロー）、Ｋ（黒）の色材を使って画像を形成するものが多く、このようなカラー印刷機では、ＣＭＹＫ色空間の出力画像データに基づいて画像が出力される。近年では、プルーフ画像を出力するプルーファなどでも、カラー印刷機と同様にＣＭＹＫの色材を使って色を表現するものが利用されてきているが、同じＣＭＹＫ色空間上の同じ値の画像データであっても、装置の種類や機差などによって表現される色が微妙に異なることがある。したがって、プルーファで印刷画像を再現しようとしたとき、カラー印刷機用の画像データをそのままプルーファに送るのではなく、プルーファの前段で画像データを変換する必要がある。ここでは、画像の色に着目しており、この画像データの変換を色変換と称する。
【０００５】
以下では、カラー印刷機用の画像データに色変換処理を施し、プルーファでプルーフ画像を出力する一連の処理の流れについて説明する。尚、ここでは、カラー印刷機用のＣＭＹＫ色空間の画像データに基づいてＣＭＹＫ各色の印刷用フィルム版を生成するＣＴＰ（Ｃｏｍｐｕｔｅｒ  Ｔｏ  Ｐｌａｔｅ）と、プルーファ用のＣＭＹＫ色空間（カラー印刷機用の色空間と区別するため、以下では、プルーファ用の色空間には「´」を付してＣ´Ｍ´Ｙ´Ｋ´色空間等と称する）の画像データに基づいてプルーフ画像を生成するプルーファとで構成された画像出力システムを例に挙げて説明する。
【０００６】
図１は、画像出力システムの一例を示す図である。
【０００７】
図１のパート（Ａ）には、第１の画像出力システム１の構成図が示されている。
【０００８】
ＤＴＰにおいては、オペレータがコンピュータを使って文字や画像で構成されたページを編集すると、その編集されたページのイメージを表わす入力画像データ１０００が生成される。この入力画像データ１０００は、ページのイメージが、そのページを構成する文字や画像といった部品集合で表現されたものであり、各部品を表わすデータの集合で構成されている。このような入力画像データ１０００を構成するデータには、例えば、スキャナで読み取られた画像を表わす、スキャナに依存したＲＧＢ色空間で色が表現された画像データや、オペレータがパーソナルコンピュータを使って描いたグラフィック画像を表わす、ＣＭＹＫ色空間で色が表現された画像データなど、様々な入力色空間の画像データが混在している。オペレータの編集によって生成された入力画像データ１０００は、色分解装置１１１０に送られる。
【０００９】
色分解装置１１１０では、入力画像データ１０００に含まれる様々な入力色空間の画像データがＣＴＰ１１７０に依存したＣＭＹＫ色空間の画像データに変換され、それらＣＭＹＫ色空間の画像データが含まれた印刷画像データが生成される。生成された印刷画像データは、ＣＴＰ１１７０に向けて出力されるのに先立って、まずはプルーファ１１８０，１１９０用の色変換装置１１４０に送られる。
【００１０】
色変換装置１１４０では、印刷画像データに含まれるＣＭＹＫ色空間の画像データそれぞれに色変換処理が施されてプルーファ１１８０，１１９０に適したＣ´Ｍ´Ｙ´Ｋ´色空間の画像データに変換され、それらＣ´Ｍ´Ｙ´Ｋ´色空間の画像データが含まれたプルーフ画像データが生成される。生成されたプルーフ画像データは、プルーファ１１８０，１１９０用のＲＩＰ（Ｒａｓｔｅｒ  Ｉｍａｇｅ  Ｐｒｏｃｅｓｓｏｒ）装置１１５０に送られる。
【００１１】
プルーファ１１８０，１１９０は、ページのイメージを出力するにあたり、ページを走査する走査線ごとに出力するものであり、上述した印刷画像データやプルーフ画像データは、ページを構成する各部品のデータで構成されているため、このままでは印刷機やプルーファ１１８０，１１９０では出力することができない。したがって、ＲＩＰ装置１１５０では、プルーフ画像データにラスタライズ化処理が施されてプルーファ１１８０，１１９０に適したラスタ形式のプルーフ画像データに変換される。変換後のプルーフ画像データは、階調プルーファ１１９０に送られて、階調プルーファ１１９０で色濃度が色材の濃さそのもので表現されたプルーフ画像が出力されたり、網掛装置１１６０に送られて網掛処理が施され、網点プルーファ１１８０で色濃度が網点で表現されたプルーフ画像が生成される。
【００１２】
以上のようにして生成されたプルーフ画像を使って、オペレータが印刷画像の色やレイアウトなどを確認し、コンピュータを使って印刷を指示すると、色分解装置１１１０で生成された印刷画像データが、ＣＴＰ１１７０用のＲＩＰ装置１１２０に送られる。
【００１３】
ＲＩＰ装置１１２０では、印刷画像データにラスタライズ化処理が施され、網掛装置１１３０では、ラスタライズ化処理が施された印刷画像データに網掛処理が施される。網掛処理後の印刷画像データは、ＣＴＰ１１７０に送られて、Ｃ，Ｍ，Ｙ，Ｋ４色の印刷用フィルム版が生成される。４色の印刷用フィルム版は印刷機に装着されて各色のインクが塗布され、その塗布されたインクが印刷用の用紙上に転移されて印刷画像が生成される。
【００１４】
図１のパート（Ａ）に示す第１の画像出力システム１では、印刷用の画像データをプルーファ用の画像データに変換する色変換装置１１４０がＲＩＰ装置１１５０よりも前段に設けられているが、色変換装置がＲＩＰ装置の後段に設けられた画像出力システムも広く用いられている。
【００１５】
図１のパート（Ｂ）には、第２の画像出力システム２の構成図が示されている。
【００１６】
第２の画像出力システム２では、オペレータの編集によって生成された入力画像データ１０００が、色分解装置１１１０でＣＭＹＫ色空間の印刷画像データに変換された後、ＣＴＰ１１７０およびプルーファ１１８０，１１９０に共通のＲＩＰ装置１１２０でラスタ形式の印刷画像データに変換される。
【００１７】
ラスタ形式の印刷画像データは、印刷に先立って色変換装置１１４０に伝えられ、色変換装置１１４０で色変換処理が施された後、階調プルーファ１１９０に送られたり、網掛装置１１６０で網掛処理が施された後で網点プルーファ１１８０に送られる。
【００１８】
オペレータによって印刷が指示されたときには、ＲＩＰ装置１１２０で生成されたラスタ形式の印刷画像データがそのままＣＴＰ１１７０用の網掛装置１１３０に伝えられ、網掛処理が施された印刷画像データがＣＴＰ１１７０に伝えられて、ＣＴＰ１１７０でＣＭＹＫ各色の印刷用フィルム版が生成される。
【００１９】
図１のパート（Ｂ）に示す第２の画像出力システム２によると、データ形式が変換された後の画像データに対して色変換処理が施されるため、図１のパート（Ａ）に示す第１の画像出力システム１と比べて、印刷画像の色をより精度良く再現したプルーフ画像を得ることができる。しかし、図１のパート（Ａ）に示す第１の画像出力システム１では、印刷画像のイメージに対してページを構成する部品ごとに色変換処理が施されるのに対して、図１のパート（Ｂ）に示す第２の画像出力システム２では、印刷画像のイメージに対して走査線ごとに色変換処理が施されるため、多大な時間を要してしまう。
【００２０】
また、近年では、カラー印刷機で表現することができる色再現領域を広げるために、Ｃ，Ｍ，Ｙ，Ｋ４色の色材に加えて、Ｇ（グリーン）やＯ（オレンジ）などといった色材を使って色を表現する多色のカラー印刷機が用いられてきており、その多色のカラー印刷機で印刷される印刷画像の色を精度良く再現する画像出力システムが提案されてきている（例えば、特許文献１、特許文献２、特許文献３、および特許文献４参照）。このような色材の多色化に伴って、色変換処理の高速化がさらに重要視されてきているため、以下では、図１のパート（Ａ）に示す画像出力システム１を使って多色の色変換処理を行う方法について説明する。
【００２１】
図２は、図１のパート（Ａ）に示す画像出力システム１を使って多色の色変換処理を行う一連の処理を説明するための図である。
【００２２】
オペレータによって編集された入力画像データ１０００は、色分解装置１１１０の色空間判別部１１１１に伝えられ、色空間判別部１１１１おいて、入力画像データ１０００に含まれる画像データが各入力色空間ごとに分類される。色空間判別部１１１１で分類されたＲＧＢ色空間の画像データは、ＲＧＢ／Ｌ＊ａ＊ｂ＊変換部１１１２でデバイスに非依存な共通色空間であるＬ＊ａ＊ｂ＊色空間の画像データに変換され、Ｌ＊ａ＊ｂ＊／ＣＭＹＫＯＧ変換部１１１３に伝えられる。また、色空間判別部１１１１で分類されたＬ＊ａ＊ｂ＊色空間の画像データもＬ＊ａ＊ｂ＊／ＣＭＹＫＯＧ変換部１１１３に伝えられる。Ｌ＊ａ＊ｂ＊／ＣＭＹＫＯＧ変換部１１１３では、Ｌ＊ａ＊ｂ＊色空間の画像データがＣＭＹＫＯＧ色空間の画像データに変換されて、色変換装置１１４０に送られる。また、色空間判別部１１１１で分類された、ＣＴＰ１１７０用のＣＭＹＫＯＧ色空間と同じＣＭＹＫ軸を有するＣＭＹＫ色空間の画像データも色変換装置１１４０に送られる。ここで、色分解装置１１１０には、ＲＧＢ色空間の画像データとＬ＊ａ＊ｂ＊色空間の画像データとが対応付けられたＲＧＢ／Ｌ＊ａ＊ｂ＊プロファイル、およびＬ＊ａ＊ｂ＊色空間の画像データとＣＭＹＫＯＧ色空間の画像データとが対応付けられたＬ＊ａ＊ｂ＊／ＣＭＹＫＯＧプロファイルが予め記憶されており、ＲＧＢ／Ｌ＊ａ＊ｂ＊換部１１１２、およびＬ＊ａ＊ｂ＊／ＣＭＹＫＯＧ変換部１１１３では、それらのプロファイルを使って高速に画像データの変換が行われる。
【００２３】
また、色変換装置１１４０では、色分解装置１１１０から送られてきたＣＭＹＫＯＧ色空間の画像データがＣＭＹＫＯＧ／Ｌ＊ａ＊ｂ＊変換部１１４１、Ｌ＊ａ＊ｂ＊／Ｃ´Ｍ´Ｙ´Ｋ´Ｏ´Ｇ´変換部１１４２、および純色保存部１１４３それぞれに伝えられる。
【００２４】
ＣＭＹＫＯＧ／Ｌ＊ａ＊ｂ＊変換部１１４１では、ＣＭＹＫＯＧ色空間の画像データが共通色空間であるＬ＊ａ＊ｂ＊空間の画像データに変換され、変換後の画像データがＬ＊ａ＊ｂ＊／Ｃ´Ｍ´Ｙ´Ｋ´Ｏ´Ｇ´変換部１１４２に伝えられる。Ｌ＊ａ＊ｂ＊／Ｃ´Ｍ´Ｙ´Ｋ´Ｏ´Ｇ´変換部１１４２では、Ｌ＊ａ＊ｂ＊色空間の画像データが、プルーファに依存したＣ´Ｍ´Ｙ´Ｋ´Ｏ´Ｇ´色空間の画像データに変換され、さらに、そのＣ´Ｍ´Ｙ´Ｋ´Ｏ´Ｇ´色空間の画像データのＫ成分が、色分解装置１１１０から送られてきたＣＭＹＫＯＧ色空間の画像データのＫ成分に置き換えられる（Ｋ版保存処理）。Ｃ´Ｍ´Ｙ´Ｋ´Ｏ´Ｇ´色空間の画像データは、さらに純色保存部１１４３に伝えられる。純色保存部１１４３では、色分解装置１１１０から送られてきたＣＭＹＫＯＧ色空間の画像データが表わす色が純色である場合に、その画像データに対応するＣ´Ｍ´Ｙ´Ｋ´Ｏ´Ｇ´色空間の画像データのＣＭＹ成分が純色成分に置き換えられる（純色保存処理）。この色変換装置１１４０においても、ＣＭＹＫＯＧ色空間の画像データとＬ＊ａ＊ｂ＊色空間の画像データとが対応付けられたＣＭＹＫＯＧ／Ｌ＊ａ＊ｂ＊プロファイル、およびＬ＊ａ＊ｂ＊色空間の画像データとＣ´Ｍ´Ｙ´Ｋ´Ｏ´Ｇ´色空間色空間の画像データとが対応付けられたＬ＊ａ＊ｂ＊／Ｃ´Ｍ´Ｙ´Ｋ´Ｏ´Ｇ´色空間プロファイルが予め記憶されており、ＣＭＹＫＯＧ／Ｌ＊ａ＊ｂ＊変換部１１４１、およびＬ＊ａ＊ｂ＊／Ｃ´Ｍ´Ｙ´Ｋ´Ｏ´Ｇ´変換部１１４２では、それらのプロファイルを使って高速に画像データの変換が行われる。色変換装置１１４０で生成されたＣ´Ｍ´Ｙ´Ｋ´Ｏ´Ｇ´色空間の画像データは、図１のパート（Ａ）に示すＲＩＰ装置１１５０に伝えられる。
【００２５】
以上のように、図１にも示す色分解装置１１１０や色変換装置１１４０などで利用される各種プロファイルを多色印刷用のプロファイルに変更することによって、図１のパート（Ａ）に示す画像出力システムを流用することができ、オペレータは、経験的な知識を必要とせず、多色のカラー印刷機で出力される印刷画像の色が精度良く再現されたプルーフ画像を容易に得ることができる。
【特許文献１】特開２００５−１２３７９７号公報
【特許文献２】特開２００１−５３９７６号公報
【特許文献３】特開２００１−３６７６０号公報
【特許文献４】特開平８−２７２０８１号公報
【発明の開示】
【発明が解決しようとする課題】
【００２６】
しかし、上述した技術によると、例えば、１色を３３階調の色濃度で表現する場合、図２のＣＭＹＫＯＧ／Ｌ＊ａ＊ｂ＊変換部１１４１で利用されるＣＭＹＫＯＧ／Ｌ＊ａ＊ｂ＊プロファイルのデータサイズは、３３６×３＝約３．９ＧＢにもなる。このような膨大なサイズのプロファイルを色変換装置１１４０に記憶しておくことは非現実的であり、画像出力システム１を多色印刷に流用しようとする場合には、１色を表現する色濃度の階調数を減少させる必要が生じ、色再現の精度が劣化してしまうという問題がある。
【００２７】
本発明は、上記事情に鑑み、多色の印刷機で印刷される印刷画像も高精度に再現することができる色変換装置、および色変換プログラムを提供することを目的とする。
【課題を解決するための手段】
【００２８】
上記目的を達成する本発明の色変換装置は、所定のターゲット色空間で色が定義されたターゲット画像データに基づいて画像を出力するターゲットデバイスにおいて、所定の入力色空間で色が定義された入力画像データの変換で得られるターゲット画像データに基づいて出力されるターゲット画像が、所定の出力色空間で色が定義された出力画像データに基づいて画像を出力する出力デバイスによって再現されるように、入力画像データを出力画像データに変換する色変換装置において、
入力画像データを、デバイスに非依存の共通色空間で色が定義された共通画像データに変換する第１の変換部と、
第１の変換部で変換された共通画像データが表わす色を、共通色空間上におけるターゲットデバイスの色再現領域内の色に変換することで共通画像データをマッピング画像データに変換するマッピング部と、
マッピング部で変換されたマッピング画像データを出力画像データに変換する第２の変換部とを備えたことを特徴とする。
【００２９】
本発明の色変換装置によると、入力色空間で色が定義された入力画像データが、共通色空間で色が定義された共通画像データに変換され、その共通画像データが表わす色がターゲットデバイスの色再現領域内の色に変換されることによって、共通画像データが表わす画像の色がターゲット画像データが表わすターゲット画像の色に合わせられる。入力画像データがターゲット画像データに変換される過程を経ずに、入力画像データが共通画像データに変換された時点でマッピング処理が行われるため、図２に示すＬ＊ａ＊ｂ＊／ＣＭＹＫＯＧ変換部１１１３、およびＣＭＹＫＯＧ／Ｌ＊ａ＊ｂ＊変換部１１４１での処理が省かれる。その結果、ＣＭＹＫＯＧ／Ｌ＊ａ＊ｂ＊変換部１１４１で利用されていた多色色空間／共通色空間のプロファイルが不要となるため、色変換装置で記憶しなければならないプロファイルのデータ量が大幅に軽減され、色再現の精度を劣化させずに、多色で出力されるターゲット画像を再現することができる。また、画像データの色空間を無駄に何度も変換する処理が省かれることによって、色変換処理が高速化されるとともに、変換時に含まれてしまう誤差による再現精度の劣化を抑えることができる。
【００３０】
また、本発明の色変換装置において、上記第１の変換部で変換された共通画像データをターゲット画像データに変換する第３の変換部と、
第２の変換部で変換された出力画像データを前記出力デバイスに向けて出力する第１の出力部と、
第３の変換部で変換されたターゲット画像データをターゲットデバイスに向けて出力する第２の出力部とを備えたことが好ましい。
【００３１】
出力画像データを出力デバイスに向けて出力するとともに、出力画像データを生成する過程で利用された共通画像データをターゲット画像データに変換して、変換後のターゲット画像データをターゲットデバイスに向けて出力することによって、入力画像データを共通画像データに変換する過程を重複して実行する手間が省かれ、ターゲット画像を生成する一連の処理時間を軽減することができる。
【００３２】
また、上記目的を達成する本発明の色変換プログラムは、コンピュータ内で実行され、そのコンピュータ上に、所定のターゲット色空間で色が定義されたターゲット画像データに基づいて画像を出力するターゲットデバイスにおいて、所定の入力色空間で色が定義された入力画像データの変換で得られるターゲット画像データに基づいて出力されるターゲット画像が、所定の出力色空間で色が定義された出力画像データに基づいて画像を出力する出力デバイスによって再現されるように、入力画像データを出力画像データに変換する色変換装置を構築する色変換プログラムにおいて、
入力画像データを、デバイスに非依存の共通色空間で色が定義された共通画像データに変換する第１の変換部と、
第１の変換部で変換された共通画像データが表わす色を、共通色空間上におけるターゲットデバイスの色再現領域内の色に変換することで共通画像データをマッピング画像データに変換するマッピング部と、
マッピング部で変換されたマッピング画像データを出力画像データに変換する第２の変換部とを構築することを特徴とする。
【００３３】
本発明の色変換プログラムによると、多色の色材を使って出力されるターゲット画像も高精度に再現することができる。
【００３４】
尚、色変換プログラムについては、ここではその基本形態のみを示すのにとどめるが、これは単に重複を避けるためであり、本発明にいう色変換プログラムには、上記の基本形態のみではなく、前述した色変換装置の各形態に対応する各種の形態が含まれる。
【００３５】
さらに、本発明の色変換プログラムがコンピュータシステム上に構築する第１の変換部などといった要素は、１つの要素が１つのプログラム部品によって構築されるものであってもよく、複数の要素が１つのプログラム部品によって構築されるものであってもよい。また、これらの要素は、そのような作用を自分自身で実行するものとして構築されてもよく、あるいはコンピュータシステムに組み込まれている他のプログラムやプログラム部品に指示を与えて実行するものとして構築されてもよい。
【発明の効果】
【００３６】
本発明によれば、多色の色材を使って印刷される印刷画像も高精度に再現することができる。
【発明を実施するための最良の形態】
【００３７】
以下、図面を参照して本発明の実施の形態を説明する。
【００３８】
図３は、本発明の一実施形態が組み込まれた画像出力システムの全体構成図である。
【００３９】
図３に示す画像出力システムは、主には、原稿画像を読み取るカラースキャナ１０、画像データに対して各種処理を施すワークステーション２０、Ｃ，Ｍ，Ｙ，Ｋ，Ｏ，Ｇ各色の印刷用フィルム版を作成するＣＴＰ３０、ＣＴＰ３０で作成された印刷用フィルム版を使って印刷画像を作成する印刷機４０、Ｃ，Ｍ，Ｙ，Ｋ，Ｏ，Ｇ各色の色材を使って画像を出力する２つのプルーファ５１，５２で構成されている。ＣＴＰ３０および印刷機４０は、本発明にいうターゲットデバイスの一例を構成しており、プルーファ５１，５２は、本発明にいう出力デバイスの一例に相当する。
【００４０】
カラースキャナ１０では、原稿画像が読み取られて、その原稿画像を表わすＲ、Ｇ，Ｂ３色の色分解画像データが生成される。このＲＧＢの色分解画像データはワークステーション２０に入力される。また、図示しないが、パーソナルコンピュータなどを使って作成されたＣ，Ｍ，Ｙ，Ｋ４色の色分解画像データや、デジタルカメラで被写体が撮影されて得られたＬ＊，ａ＊，ｂ＊３色の色分解画像データなどもワークステーション２０に入力される。このワークステーション２０は、接続ケーブルを介して色分解画像データを受け取るものであってもよく、ワークステーション２０とカラースキャナ１０とが離れた場所に設置されているときは、ワークステーション２０から、例えばコンピュータネットワークを介して、あるいは、ＭＯディスク（光磁気ディスク）などといった記憶媒体によって色分解画像データを受け取るものであってもよい。
【００４１】
ワークステーション２０は、機能的には、編集装置２１、色補正装置２２、印刷用ＲＩＰ装置２３、印刷用網掛装置２４、プルーファ用ＲＩＰ装置２５、およびプルーファ用網掛装置２６で構成されている。
【００４２】
編集装置２１では、オペレータにより、入力された色分解画像データに基づく電子的な集版が行なわれ、印刷用の画像のページを表わすページ画像データが生成される。このページ画像データは、ページのイメージが、そのページを構成する文字や画像といった部品の集合で表現されたものであり、各部品を表わすデータの集合で構成されている。このため、ページ画像データには、編集装置２１に入力された、カラースキャナ１０で原稿画像が読み取られて生成されたＲＧＢ色空間の画像データや、パーソナルコンピュータなどを使って作成されたＣ，Ｍ，Ｙ，Ｋ４色空間の画像データや、デジタルカメラで被写体が撮影されて得られたＬ＊，ａ＊，ｂ＊色空間の画像データなどが混在して含まれている。ページ画像データは、色補正装置２２に送られる。
【００４３】
色補正装置２２では、ページ画像データに含まれる各種入力色空間の画像データが、ＣＴＰ３０と印刷機４０とで構成されるターゲットデバイスに依存したターゲット色空間（ここでは、ＣＭＹＫＯＧ色空間）の画像データに変換され、それらターゲット色空間の画像データが含まれた印刷用画像データが生成される。変換後の印刷用画像データは印刷用ＲＩＰ装置２３に送られる。
【００４４】
印刷用ＲＩＰ装置２３では、印刷用画像データにラスタライズ化処理が施される。ラスタ形式の印刷用画像データは、印刷用網掛装置２４において網点画像を表す製版用の印刷画像データに変換され、さらにＣＴＰ３０に送られて、その製版用の印刷画像データに対応した、ＣＭＹＫＯＧの各版の印刷用フィルム版が作成される。作成された印刷用フィルム版は印刷機４０に装着されてインクが塗布され、その塗布されたインクが印刷用の用紙上に転移されてその用紙上に印刷画像４０ａが形成される。
【００４５】
ＣＴＰ３０により印刷用フィルム版を作成し、さらに印刷用フィルム版を印刷機４０に装着して用紙上に印刷を行なう一連の作業は、大がかりな作業である上、コストもかかる。このため、実際の印刷作業が行なわれる前に、プルーファ５１，５２によってプルーフ画像５１ａ，５２ａが作成され、印刷画像４０ａの仕上りの事前確認が行なわれる。
【００４６】
プルーフ画像５１ａ，５２ａの作成にあたっては、まず、編集装置２１で作成されたページ画像データが、色補正装置２２において、プルーファ５１，５２に依存した出力色空間（ここでは、Ｃ´Ｍ´Ｙ´Ｋ´Ｏ´Ｇ色空間）のプルーフ画像データに変換される。変換されたプルーフ画像データは、プルーファ用ＲＩＰ装置２５に送られてラスタライズ化処理が施され、階調プルーファ５２に送られたり、プルーファ用網掛装置２６で網掛処理が施された後で網点プルーファ５１に送られる。網点プルーファ５１では、画像の色濃度が網点によって表現されたプルーフ画像５１ａが生成され、階調プルーファ５２では、画像の色濃度が色材の濃さそのもので表現されたプルーフ画像５２ａが生成される。
【００４７】
このようにして作成されたプルーフ画像５１ａ，５２ａを確認することにより、印刷の仕上りを事前に確認することができる。
【００４８】
ここで、図３に示す画像出力システムにおける本発明の一実施形態としての特徴は、ワークステーション２０で実行される処理内容にある。まずは、このワークステーション２０について詳しく説明する。
【００４９】
図４は、図３に示すワークステーション２０の外観斜視図、図５は、そのワークステーション２０のハードウェア構成図である。
【００５０】
ワークステーション２０は、大型のパーソナルコンピュータであり、図４に示すように、外観構成上、本体装置２０１、その本体装置２０１からの指示に応じて表示画面２０２ａ上に画像を表示する画像表示装置２０２、本体装置２０１に、キー操作に応じた各種の情報を入力するキーボード２０３、および、表示画面２０２ａ上の任意の位置を指定することにより、その位置に表示されたアイコン等に応じた指示を入力するマウス２０４を備えている。また、本体装置２０１は、外観上、フレキシブルディスク（以下では、ＦＤと省略する）を装填するためのＦＤ装填口２０１ａ、およびＣＤ−ＲＯＭを装填するためのＣＤ−ＲＯＭ装填口２０１ｂを有する。
【００５１】
本体装置２０１の内部には、図５に示すように、各種プログラムを実行するＣＰＵ２１１、ハードディスク装置２１３に格納されたプログラムが読み出されＣＰＵ２１１での実行のために展開される主メモリ２１２、各種プログラムやデータ等が保存されたハードディスク装置２１３、ＦＤ１００が装填され、その装填されたＦＤ１００をアクセスするＦＤドライブ２１４、ＣＤ−ＲＯＭ１１０をアクセスするＣＤ−ＲＯＭドライブ２１５、図３のカラースキャナ１０と接続され、カラースキャナ１０から画像データを受け取る入力インタフェース２１６、図３のＣＴＰ３０やプルーファ５１，５２と接続され、ＣＴＰ３０やプルーファ５１，５２に画像データを送る出力インタフェース２１７が内蔵されており、これらの各種要素と、さらに図４にも示す画像表示装置２０２、キーボード２０３、およびマウス２０４は、バス２０５を介して相互に接続されている。
【００５２】
ここで、ＣＤ−ＲＯＭ１１０には、本発明の色変換プログラムの一実施形態である色変換プログラムが記憶されている。そのＣＤ−ＲＯＭ１１０はＣＤ−ＲＯＭドライブ２１５に装填され、そのＣＤ−ＲＯＭ１１０に記憶された色変換プログラムがこのワークステーション２０にアップロードされてハードディスク装置２１３に記憶される。そして、この色変換プログラムが起動されて実行されることにより、ワークステーション２０内に、本発明の色変換装置の一実施形態である色変換装置２２が構築される。
【００５３】
尚、上記では、色変換プログラムを記憶する記憶媒体としてＣＤ−ＲＯＭ１１０が例示されているが、色変換プログラムを記憶する記憶媒体はＣＤ−ＲＯＭに限られるものではなく、それ以外の光ディスク、ＭＯ、ＦＤ、磁気テープなどの記憶媒体であってもよい。また、本発明の色変換プログラムは、記憶媒体を介さずに、入力インタフェース２１６を介して直接にワークステーション２０に供給されるものであってもよい。
【００５４】
次に、色変換プログラムについて説明する。
【００５５】
図６は、色変換プログラムが記憶されたＣＤ−ＲＯＭ１１０を示す概念図である。
【００５６】
図６に示すように、ＣＤ−ＲＯＭ１１０に記憶された色変換プログラム３００は、画像データ取得部３１０、色空間判別部３２０、共通変換部３３０、マッピング部３４０、プルーフ変換部３５０、純色保存部３６０、プルーフ出力部３７０、ターゲット変換部３８０、およびターゲット出力部３９０で構成されている。
【００５７】
色変換プログラム３００の各部の詳細については、色変換装置２２の各部の作用と一緒に説明する。
【００５８】
図７は、色変換装置２２の機能ブロック図である。
【００５９】
色変換装置２２は、画像データ取得部４１０と、色空間判別部４２０と、第１共通変換部４３１と、第２共通変換部４３２と、第１マッピング部４４１と、第２マッピング部４４２と、第１プルーフ変換部４５１と、第２プルーフ変換部４５２と、純色保存部４６０と、プルーフ出力部４７０と、ターゲット変換部４８０と、ターゲット出力部４９０とを有している。
【００６０】
色変換装置２２を構成する、画像データ取得部４１０と、色空間判別部４２０は、図６に示す色変換プログラム３００を構成する、画像データ取得部３１０、色空間判別部３２０にそれぞれ対応し、色変換装置２２を構成する第１共通変換部４３１および第２共通変換部４３２は、色変換プログラム３００を構成する共通変換部３３０に対応し、色変換装置２２を構成する第１マッピング部４４１および第２マッピング部４４２は、色変換プログラム３００を構成するマッピング部３４０に対応し、色変換装置２２を構成する第１プルーフ変換部４５１および第２プルーフ変換部４５２は、色変換プログラム３００を構成するプルーフ変換部３５０に対応し、色変換装置２２を構成する、純色保存部４６０と、プルーフ出力部４７０と、ターゲット変換部４８０と、ターゲット出力部４９０は、色変換プログラム３００を構成する、純色保存部３６０、プルーフ出力部３７０、ターゲット変換部３８０、およびターゲット出力部３９０にそれぞれ対応する。
【００６１】
図７の各要素は、コンピュータのハードウェアとそのコンピュータで実行されるＯＳやアプリケーションプログラムとの組合せで構成されているのに対し、図６に示す色変換プログラム３００の各要素はそれらのうちのアプリケーションプログラムのみにより構成されている点が異なる。
【００６２】
ここで、図７に示す色変換装置２２には、図３に示すカラースキャナ１０の入力色空間（ＲＧＢ色空間）からデバイス非依存の共通色空間（Ｌ＊ａ＊ｂ＊色空間）への座標変換が定義された第１共通プロファイル４３１ａ、編集装置２１で使用される編集用プログラムに依存した入力色空間（ＣＭＹＫ色空間）からデバイス非依存の共通色空間（Ｌ＊ａ＊ｂ＊色空間）への座標変換が定義された第２共通プロファイル４３２ａ、デバイス非依存の共通色空間（Ｌ＊ａ＊ｂ＊色空間）からターゲット色空間（ＣＭＹＫＯＧ色空間）への座標変換が定義されたターゲットプロファイル４８０ａ、共通色空間（Ｌ＊ａ＊ｂ＊色空間）から出力色空間（Ｃ´Ｍ´Ｙ´Ｋ´Ｏ´Ｇ´色空間）への座標変換が定義された第１プルーフプロファイル４５１ａ、共通色空間（Ｌ＊ａ＊ｂ＊色空間）から出力色空間（Ｃ´Ｍ´Ｙ´Ｋ´色空間）への座標変換が定義された第２プルーフプロファイル４５２ａ、および共通色空間（Ｌ＊ａ＊ｂ＊色空間）から共通色空間（Ｌ＊ａ＊ｂ＊色空間）への座標変換が定義されたマッピング用プロファイル４４０ａが予め用意されており、これら各種プロファイルのうち、マッピング用プロファイル４４０ａを除くプロファイルは、カラースキャナ１０や印刷機４０やプルーファ５１，５２を製造しているメーカ等から予め提供されることが多い。ここでは、マッピング用プロファイル４４０ａを除く、第１共通プロファイル４３１ａ、第２共通プロファイル４３２ａ、ターゲットプロファイル４８０ａ、第１プルーフプロファイル４５１ａ、および第２プルーフプロファイル４５２ａの基本的な作成方法について説明する。
【００６３】
図８は、第１共通プロファイル４３１ａ、および第２共通プロファイル４３２ａの概念図である。
【００６４】
図８のパート（Ａ）には、第１共通プロファイル４３１ａの概念図が示されている。第１共通プロファイル４３１ａを生成するときには、多数の色パッチからなるカラーパッチ画像を用意し、そのカラーパッチ画像を図３に示すカラースキャナ１０で読み取って、各色パッチごとのＲＧＢ色空間上の色データを得るとともに、そのカラーパッチ画像を測色計で測色して、各色パッチについて、Ｌ＊ａ＊ｂ＊色空間上の座標を表わす色データを得る。これらＲＧＢ色空間上の色データと、Ｌ＊ａ＊ｂ＊色空間上の色データとを対応付けることによって第１共通プロファイル４３１ａが得られる。
【００６５】
図８のパート（Ｂ）には、第２共通プロファイル４３２ａの概念図が示されている。従来より、印刷機でＣ，Ｍ，Ｙ，Ｋ色材を使って印刷される画像のイメージをつかみやすいように、画像をＣ，Ｍ，Ｙ，Ｋ色を使って編集する編集用ソフトウェアが広く知られている。ＣＭＹＫ色空間上の色データと、その色データが所定の式に基づいて変換されたＬ＊ａ＊ｂ＊色空間上の色データとが対応付けられて第２共通プロファイル４３２ａが作成され、編集用ソフトウェアとともに第２共通プロファイル４３２ａが提供される。
【００６６】
図９は、ターゲットプロファイル４８０ａ、第１プルーフプロファイル４５１ａ、および第２プルーフプロファイル４５２ａの概念図である。
【００６７】
図９のパート（Ａ）には、ターゲットプロファイル４８０ａの概念図が示されている。ターゲットプロファイル４８０ａを生成する場合には、図３に示す編集装置２１において、ＣＭＹＫＯＧ６色の色データとして、Ｃ，Ｍ，Ｙ，Ｋ，Ｏ，Ｇそれぞれの値を順次変化させた色データを生成し、そのようにして発生させた色データに基づくカラーパッチ画像をＣＴＰ３０と印刷機４０とで構成されるターゲットデバイスを使って印刷する。さらに、印刷されたカラーパッチ画像を構成する各色パッチを測色計で測色し、Ｌ＊，ａ＊，ｂ＊値を取得して、Ｃ，Ｍ，Ｙ，Ｋ，Ｏ，Ｇ値と、まずは単純に対応付ける。
【００６８】
ここで、ターゲットプロファイル４８０ａでは、１つのＬ＊ａ＊ｂ＊色空間の色データに対して、１つのＣＭＹＫＯＧ色空間の色データが対応付けられる必要があるが、ＣＭＹＫＯＧ色空間の次元はＬ＊ａ＊ｂ＊色空間の次元よりも大きいため、この段階では、複数のＣ，Ｍ，Ｙ，Ｋ，Ｏ，Ｇ値に対して同じＬ＊，ａ＊，ｂ＊値が重複して取得されている。また、Ｌ＊ａ＊ｂ＊色空間全体では、ターゲットデバイスでは表現することができない色も含まれているため、この段階でＣ，Ｍ，Ｙ，Ｋ，Ｏ，Ｇ値と単純に対応付けられているＬ＊，ａ＊，ｂ＊値は、ターゲット変換部４８０に入力されると想定されるＬ＊，ａ＊，ｂ＊値を網羅しておらず、不足が生じている。
【００６９】
図１０は、Ｌ＊ａ＊ｂ＊色空間におけるカラースキャナ１０の色再現領域、およびＣＴＰ３０と印刷機４０とで構成されるターゲットデバイスの色再現領域を示している。
【００７０】
本実施形態においては、印刷機４０でＣ，Ｍ，Ｙ，Ｋ４色の色材に加えてＯ，Ｇ２色の色材が使用されることによって、ターゲットデバイスの色再現領域５１０の拡大が図られているが、Ｒ，Ｇ，Ｂ３色の光で画像を表現するカラースキャナ１０の色再現領域５２０をカバーするには不十分である。したがって、上述した単純な対応付け段階においては、ターゲットデバイスの色再現領域５１０外のＬ＊，ａ＊，ｂ＊値は、Ｃ，Ｍ，Ｙ，Ｋ，Ｏ，Ｇ値と対応付けられておらず、カラースキャナ１０で生成された画像データがターゲットデバイスの色再現領域５１０内に含まれていない場合には、この段階で得られた対応関係を使ってもＣ，Ｍ，Ｙ，Ｋ，Ｏ，Ｇ値に変換することができない。このため、ターゲットデバイスの色再現領域５１０外のＬ＊ａ＊ｂ＊色空間の色データを、ＣＭＹＫＯＧ色空間の色データと対応付けて、ターゲット変換部４８０に入力されると想定されるＬ＊ａ＊ｂ＊色空間の色データを網羅させる必要がある。
【００７１】
色データを最低限度に網羅するのであれば、すでにＣ，Ｍ，Ｙ，Ｋ，Ｏ，Ｇ値と対応付けられているＬ＊，ａ＊，ｂ＊値はそのままで、ターゲットデバイスの色再現領域５１０外のＬ＊，ａ＊，ｂ＊値のみを新たにＣ，Ｍ，Ｙ，Ｋ，Ｏ，Ｇ値と対応付ければよいが、そのように色再現領域５１０外のＬ＊，ａ＊，ｂ＊値のみを単純にマッピングすると、色再現領域５１０の境界付近でトーンジャンプなどが生じてしまう。したがって、色再現領域５１０の境界付近のＬ＊，ａ＊，ｂ＊値も含めて全体的にマッピングを行い、さらに、同じＬ＊ａ＊ｂ＊色空間の色データに対して重複して対応付けられた複数のＣＭＹＫＯＧ色空間の色データのうちの１つを選択するなどして、抜けがなく網羅されたＬ＊ａ＊ｂ＊色空間の色データそれぞれに対して、１つのＣＭＹＫＯＧ色空間の色データを対応付けて、ターゲットプロファイル４８０ａを構築する。
【００７２】
また、図９のパート（Ｂ）には、第１プルーフプロファイル４５１ａの概念図が示されている。第１プルーフプロファイル４５１ａを新たに生成する場合には、ターゲットプロファイル４８０ａを生成する場合と同様に、図３に示す編集装置２１から、Ｃ´Ｍ´Ｙ´Ｋ´Ｏ´Ｇ´それぞれの値を順次変化させた色データを生成し、そのようにして発生させた色データに基づくカラーパッチ画像をプルーファ５１，５２を使ってプリント出力する。続いて、プリント出力されたカラーパッチ画像を構成する各色パッチを測色計で測色してＬ＊，ａ＊，ｂ＊値を取得し、Ｃ´，Ｍ´，Ｙ´，Ｋ´，Ｏ´，Ｇ´値と、まずは単純に対応付ける。本実施形態においては、ターゲットデバイスで出力される画像の色を再現するためのマッピング処理が、第１プルーフプロファイル４５１ではなくマッピングプロファイル４４０ａを使って行われるため、この第１プルーフプロファイル４５１ａでは、Ｌ＊，ａ＊，ｂ＊値が、その値が表現する色を忠実に出力するためのＣ´，Ｍ´，Ｙ´，Ｋ´，Ｏ´，Ｇ´値に変換されることが求められる。したがって、上述したターゲットプロファイル４８０ａを生成する場合のようなマッピング処理は行われず、同じＬ＊，ａ＊，ｂ＊値が重複して取得されたＣ´Ｍ´Ｙ´Ｋ´Ｏ´Ｇ´色空間の色データの選択などが行われた後、Ｌ＊ａ＊ｂ＊色空間上の色データに対して１つのＣ´Ｍ´Ｙ´Ｋ´Ｏ´Ｇ´色空間の色データが対応付けられて、第１プルーフプロファイル４５１ａが構築される。
【００７３】
例えば、１色を３３階調の色濃度で表現する場合、Ｃ，Ｍ，Ｙ，Ｋ４色の印刷機が利用される図１のパート（Ａ）に示す第１の画像出力システム１では、色分解装置１１１０で利用されるＣＭＹＫ／Ｌ＊ａ＊ｂ＊プロファイルのデータサイズは、３３４×４＝約４．７ＭＢ程度である。しかし、印刷機での色再現領域を広げるために、Ｃ，Ｍ，Ｙ，Ｋ４色のインクに加えてＯ，Ｇ色のインクも使用する場合、図２のＣＭＹＫＯＧ／Ｌ＊ａ＊ｂ＊変換部１１４１で利用されるＣＭＹＫＯＧ／Ｌ＊ａ＊ｂ＊プロファイルのデータサイズは、３３６×３＝約３．９ＧＢにもなり、ＣＭＹＫＯＧ／Ｌ＊ａ＊ｂ＊変換部１１４１とＬ＊ａ＊ｂ＊Ｋ／Ｃ´Ｍ´Ｙ´Ｋ´Ｏ´Ｇ´変換部１１４２とで利用されるプロファイルを連結したＣＭＹＫＯＧ／Ｃ´Ｍ´Ｙ´Ｋ´Ｏ´Ｇ´プロファイルのデータサイズは、３３６×６＝約７．７ＧＢにもなってしまう。本実施形態の色変換装置２２で利用される第１プルーフプロファイル４５１ａのデータサイズは、３３３×６＝約０．２ＭＢであり、大幅にデータサイズが抑えられている。このため、本実施形態の色変換装置２２では、１色を表現する色濃度の階調数を減少させる必要がなく、高精度に印刷画像の色を再現することができるうえ、第１プルーフプロファイル４５１ａを予めメモリに記憶しておくことができ、高速な色変換処理を実行することができる。
【００７４】
図９のパート（Ｃ）には、第２のプルーフプロファイル４５２ａの概念図が示されている。第２のプルーフプロファイル４５２ａは、図３に示す編集装置２１で生成される色データがＣ´Ｍ´Ｙ´Ｋ´それぞれの値を順次変化させた色データであること以外は、第１プルーフプロファイル４５１ａと同様の手順で作成される。
【００７５】
本実施形態の色変換装置２２では、以上のように作成された、あるいはメーカから提供された各種プロファイルが予め用意され、それらのプロファイルを使って高速に色変換処理が実行される。尚、マッピングプロファイル４１０ａの作成方法については、色変換装置２２の各部の作用と一緒に説明する。
【００７６】
図１１は、図７に示す色変換装置２２において、ページ画像データが取得されて、プルーフ画像と印刷画像とが作成される一連の処理の流れを示すフローチャート図である。
【００７７】
以下では、この図１１に従って、図７に示す色変換装置２２を構成する各種要素と、それら各種要素で実行される処理について詳しく説明する。
【００７８】
図３の編集装置２１を使ってオペレータが印刷物を編集すると、編集した印刷物のページを表わすページ画像データが生成される。生成されたページ画像データは、図７の画像データ取得部４１０で取得される（図１１のステップＳ１）。取得されたページ画像データは、色空間判別部４２０に伝えられる。
【００７９】
上述したように、ページ画像データは、ページが部品の集合で表現されたものであり、様々な入力色空間の画像データが混在している。色空間判別部４２０は、ページ画像データに含まれる画像データそれぞれの色空間を判別する。
【００８０】
ここで、通常は、実際の印刷が行われる前に、プルーファ５１，５２において事前確認用のプルーフ画像５１ａ，５２ａが作成される。オペレータがワークステーション２０のキーボードやマウスを操作して、プルーフ画像の生成を指示した場合には（図１１のステップＳ２：Ｙｅｓ）、色空間判別部４２０は、ページ画像データのうちＲＧＢ色空間の画像データを第１共通変換部４３１に伝え、Ｌ＊ａ＊ｂ＊色空間の画像データを第１マッピング部４４１に伝え（図１１のステップＳ３：Ｎｏ）、ＣＭＹＫ色空間の画像データを第２共通変換部４３２に伝え、ＣＭＹＫ色空間の画像データのうちのＫ成分を第２プルーフ変換部４５２に伝え、ＣＭＹＫ色空間の画像データのうちのＣＭＹ成分を純色保存部４６０に伝える（図１１のステップＳ３：Ｙｅｓ）。
【００８１】
ＲＧＢ色空間の画像データが伝えられると、第１共通変換部４３１は、第１共通プロファイル４３１ａを使って、ＲＧＢ色空間の画像データをＬ＊ａ＊ｂ＊色空間の画像データに変換する（図１１のステップＳ９）。第１共通変換部４３１は、本発明にいう第１の変換部の一例に相当する。変換後のＬ＊ａ＊ｂ＊色空間の画像データは、第１マッピング部４４１に伝えられる。
【００８２】
第１マッピング部４４１は、色空間判別部４２０および第１共通変換部４３１からＬ＊ａ＊ｂ＊色空間の画像データが伝えられると、マッピングプロファイル４４０ａを使って、Ｌ＊ａ＊ｂ＊色空間の画像データにマッピング処理を施す（図１１のステップ１０）。
【００８３】
ここで、一旦図１１の説明を中断し、マッピングプロファイル４４０ａの作成方法について説明する。
【００８４】
図１２は、マッピングプロファイル４４０ａの概念図である。
【００８５】
マッピングプロファイル４４０ａを生成するときには、まず、図３に示す編集装置２１で、Ｌ＊ａ＊ｂ＊色空間の色データとして、Ｌ＊，ａ＊，ｂ＊それぞれの値を順次変化させた色データを生成させる。続いて、図９のパート（Ａ）に示すターゲットプロファイル４８０ａに従って、編集装置２１で生成されたＬ＊ａ＊ｂ＊色空間の色データをＣＭＹＫＯＧ色空間の色データに変換させて、変換後のＣＭＹＫＯＧ色空間の色データに基づくカラーパッチ画像を、ＣＴＰ３０と印刷機４０とで構成されるターゲットデバイスを使って印刷させる。さらに、印刷されたカラーパッチ画像を構成する各色パッチを測色計で測色して、編集装置２１で生成された色データのＬ＊，ａ＊，ｂ＊値と、測定計で測色されたＬ＊，ａ＊，ｂ＊値とを対応付けることによって、マッピングプロファイル４４０ａが構築される。
【００８６】
図９のパート（Ａ）に示すターゲットプロファイル４８０ａは、Ｌ＊ａ＊ｂ＊色空間の色データを、図１０に示すターゲットデバイスの色再現領域５１０内の色データにマッピングするとともに、その色データの色空間をＬ＊ａ＊ｂ＊色空間からＣＭＹＫＯＧ色空間に変換するためのものであり、マッピングプロファイル４４０ａは、そのターゲットプロファイル４８０ａにおけるマッピング成分が抽出されたものに相当している。このマッピングプロファイル４４０ａによって、Ｌ＊ａ＊ｂ＊色空間の色データを、ターゲットデバイスの色再現領域５１０内に含まれるＬ＊ａ＊ｂ＊色空間の色データに直接変換することができ、ターゲットデバイスで出力される印刷画像の色を精度良く再現することができる。
【００８７】
第１マッピング部４４１では、以上のように作成されたマッピングプロファイル４４０ａを使って、色空間判別部４２０および第１共通変換部４３１から伝えられたＬ＊ａ＊ｂ＊色空間の画像データが、図１０に示すターゲットデバイスの色再現領域５１０内の画像データにマッピングされて、Ｌ＊ａ＊ｂ＊色空間のマッピング画像データが生成される。第１マッピング部４４１は、本発明にいうマッピング部の一例に相当する。生成されたマッピング画像データは、第１プルーフ変換部４５１に伝えられる。
【００８８】
第１プルーフ変換部４５１は、図９のパート（Ｂ）に示す第１プルーフプロファイル４５１ａを使って、Ｌ＊ａ＊ｂ＊色空間のマッピング画像データをＣ´Ｍ´Ｙ´Ｋ´Ｏ´Ｇ´色空間のプルーフ画像データに変換する（図１１のステップＳ１１）。第１プルーフ変換部４５１は、本発明にいう第２の変換部の一例に相当する。変換後のプルーフ画像データは、プルーフ出力部４７０に伝えられる。
【００８９】
また、図１１のステップＳ３において、オペレータによって編集されたページ画像データのうちＣＭＹＫ色空間の画像データは第２共通変換部４３２に伝えられ、ＣＭＹＫ色空間の画像データのうちのＫ成分を第２プルーフ変換部４５２に伝えられ、ＣＭＹＫ色空間の画像データのうちのＣＭＹ成分を純色保存部４６０に伝えられる。
【００９０】
第２共通変換部４３２は、図８のパート（Ｂ）に示す第２共通プロファイル４３２ａを使って、色空間判別部４２０から伝えられたＣＭＹＫ色空間の画像データをＬ＊ａ＊ｂ＊の画像データに変換する（図１１のステップＳ４）。この第２共通変換部４３２も、第１共通変換部４３１と同様に、本発明にいう第１の変換部の一例に相当する。変換後のＬ＊ａ＊ｂ＊色空間の画像データは、第２マッピング部４４２に伝えられる。
【００９１】
第２マッピング部４４２は、ステップＳ１０と同様にして、図１２に示すマッピングプロファイル４４０ａを使って、第２共通変換部４３２から伝えられたＬ＊ａ＊ｂ＊色空間の画像データを図１１に示すターゲットデバイスの色再現領域５１０内の画像データに変換し、マッピング画像データを生成する（図１１のステップＳ５）。この第２マッピング部４４２も、第１マッピング部４４１と同様に、本発明にいうマッピング部の一例に相当する。生成されたマッピング画像データは、第２プルーフ変換部４５２に伝えられる。
【００９２】
第２プルーフ変換部４５２には、第２マッピング部４４２からマッピング画像データが伝えられるとともに、色空間判別部４２０からＣＭＹＫ色空間の画像データのＫ成分が伝えられる。第２プルーフ変換部４５２は、図９のパート（Ｃ）に示す第２プルーフプロファイル４５２ａを使って、Ｌ＊ａ＊ｂ＊色空間のマッピング画像データをＣ´Ｍ´Ｙ´Ｋ´色空間のプルーフ画像データに変換するとともに（図１１のステップＳ６）、変換後のプルーフ画像データのＫ成分を、色空間判別部４２０から伝えられたＣＭＹＫ色空間の画像データのＫ成分に置き換える（Ｋ版保存処理）。この結果、印刷画像においてＫ版で出力される色がプルーフ画像においても確実にＫ色で出力される。この第２プルーフ変換部４５２も、第１プルーフ変換部４５１と同様に、本発明にいう第２の変換部の一例に相当する。Ｋ版保存処理が施されたプルーフ画像データは、純色保存部４６０に伝えられる。
【００９３】
純色保存部４６０には、第２プルーフ変換部４５２からＫ版保存処理が施されたプルーフ画像データが伝えられるとともに、色空間判別部４２０からＣＭＹＫ色空間の画像データのＣＭＹ成分が伝えられる。純色保存部４６０は、第２プルーフ変換部４５２から伝えられたＣ´Ｍ´Ｙ´Ｋ´色空間のプルーフ画像データの色成分のうち、色空間判別部４２０から伝えられたＣ，Ｍ，Ｙ成分が純色（各色が最大データ値）である色成分を純色（最大データ値）に置き換える（図１１のステップＳ７）。純色保存処理が施されたプルーフ画像データは、プルーフ出力部４７０に伝えられる。
【００９４】
プルーフ出力部４７０は、第１プルーフ変換部４５１、および純色保存部４６０それぞれから伝えられたＣ´Ｍ´Ｙ´Ｋ´Ｏ´Ｇ´色空間のプルーフ画像データを図３のプルーファ用ＲＩＰ装置２５に向けて出力する（図１１のステップＳ８）。このプルーフ出力部４７０は、本発明にいう第１の出力部の一例に相当する。
【００９５】
プルーフ画像データは、プルーファ用ＲＩＰ装置２５においてラスタライズ化処理が施された後、階調プルーファ５２に送られたり、プルーファ用網掛装置２６で網掛処理が施された後で網点プルーファ５１に送られる。網点プルーファ５１、および階調プルーファ５２では、印刷画像４０ａが再現されたプルーフ画像５１ａ，５２ａがプリント出力される。
【００９６】
本実施形態の色変換装置２２では、図２のＬ＊ａ＊ｂ＊／ＣＭＹＫＯＧ変換部１１１３、およびＣＭＹＫＯＧ／Ｌ＊ａ＊ｂ＊変換部１１４１で実行されるような、Ｌ＊ａ＊ｂ＊色空間の画像データをターゲットデバイス用のＣＭＹＫＯＧ色空間の画像データに変換し、さらにＣＭＹＫＯＧ色空間の画像データをＬ＊ａ＊ｂ＊色空間の画像データに変換する過程を経ずに、Ｌ＊ａ＊ｂ＊色空間の画像データに対して直接マッピング処理が行われ、マッピング後のＬ＊ａ＊ｂ＊空間の画像データがプルーファ用のＣ´Ｍ´Ｙ´Ｋ´Ｏ´Ｇ´色空間の画像データに変換されることによって、変換回数を軽減して処理時間を向上させることができるとともに、変換の際に含まれる誤差による色再現精度の劣化を抑えることができる。また、本実施形態では、ターゲット色空間（本実施形態では、ＣＭＹＫＯＧ色空間）の画像データを共通色空間（本実施形態では、Ｌ＊ａ＊ｂ＊色空間）の画像データに変換するための、６次元×３次元の膨大なデータサイズのプロファイルが不要であり、印刷機で多色の色材が使用される場合であっても、再現精度を劣化させずにプルーフ画像を生成することができる。
【００９７】
オペレータがプルーフ画像５１ａ，５２ａの色やレイアウトを確認し、ワークステーション２０のキーボードやマウスを操作して印刷を指示すると、印刷が開始される（図１１のステップＳ２：Ｎｏ）。
【００９８】
まず、色空間判別部４２０からターゲット出力部４９０に、ステップＳ１において取得されたページ画像データのうちＣＭＹＫ色空間の画像データが伝えられ（図１１のステップＳ１２：Ｙｅｓ）、色空間判別部４２０からターゲット変換部４８０に、ページ画像データのうちＬ＊ａ＊ｂ＊色空間の画像データが伝えられ、第１共通変換部４３１からターゲット変換部４８０に、ステップＳ９においてページ画像データのうちのＲＧＢ色空間の画像データが変換されたＬ＊ａ＊ｂ＊色空間の画像データが伝えられる（図１１のステップＳ１２：Ｎｏ、ステップＳ１３）。
【００９９】
プルーフ画像の作成時に変換されたＬ＊ａ＊ｂ＊色空間の画像データがターゲット変換部４８０に伝えられることによって、何度も同じ処理を実行する手間を省き、処理時間を向上させることができる。
【０１００】
ターゲット変換部４８０は、図９のパート（Ａ）に示すターゲットプロファイル４８０ａを使って、Ｌ＊ａ＊ｂ＊色空間の画像データをＣＭＹＫＯＧ色空間の画像データに変換する（図１１のステップＳ１４）。ターゲット変換部４８０は、本発明にいう第３の変換部の一例に相当する。変換後の画像データは、ターゲット出力部４９０に伝えられる。
【０１０１】
ターゲット出力部４９０は、色空間判別部４２０から伝えられたＣＭＹＫ色空間の画像データや、ターゲット変換部４８０から伝えられたＣＭＹＫＯＧ色空間の画像データを図３の印刷用ＲＩＰ装置２３に向けて出力する（図１１のステップＳ１５）。このターゲット出力部４９０は、本発明にいう第２の出力部の一例に相当する。
【０１０２】
印刷用ＲＩＰ装置２３に送られた印刷用の画像データは、ラスタライズ化処理が施され、印刷用網掛装置２４で網掛処理が施されて、ＣＴＰ３０に送られる。ＣＴＰ３０では、印刷用の画像データに基づいてＣ，Ｍ，Ｙ，Ｋ，Ｏ，Ｇ６色の印刷用フィルム版が生成され、それら印刷用フィルム版が印刷機４０に装着されて、印刷機４０において印刷画像４０ａが作成される。
【０１０３】
以上のように、本実施形態の色変換装置２２によると、多色の印刷機で印刷される印刷画像も高精度に再現することができる。
【０１０４】
ここで、上記では、出力デバイスとしてプルーファを適用する例について説明したが、本発明にいう出力デバイスは、電子写真方式やインクジェット方式のカラープリンタや、印刷機であっても良く、あるいは表示画面上に画像を表示するＣＲＴディスプレイ装置、プラズマディスプレイ装置などといった画像表示装置であってもよい。
【０１０５】
また、上記では、出力色空間としてＣ´Ｍ´Ｙ´Ｋ´Ｏ´Ｇ´色空間が適用され、共通色空間としてＬ＊ａ＊ｂ＊色空間が適用され、ターゲット色空間としてＣＭＹＫＯＧ色空間が適用される例について説明したが、本発明にいう出力色空間、共通色空間、およびターゲット色空間はこれらの色空間に限らず、例えば、出力色空間としてＲＧＢ色空間が適用され、共通色空間としてＬｕｖ色空間が適用され、ターゲット色空間としてＣＭＹＫ色空間などが適用されてもよい。
【０１０６】
また、上記では、１つの色変換装置２２内で、印刷用画像データとプルーフ用画像データとを生成する例について説明したが、これらの各データは別々の装置で生成されてもよい。
【図面の簡単な説明】
【０１０７】
【図１】画像出力システムの一例を示す図である。
【図２】図１のパート（Ａ）に示す画像出力システム１を使って多色の色変換処理を行う一連の処理を説明するための図である。
【図３】本発明の一実施形態が組み込まれた画像出力システムの全体構成図である。
【図４】ワークステーションの外観斜視である。
【図５】ワークステーションのハードウェア構成図である。
【図６】色変換プログラムが記憶されたＣＤ−ＲＯＭを示す概念図である
【図７】色変換装置の機能ブロック図である。
【図８】第１共通プロファイル、および第２共通プロファイルの概念図である。
【図９】ターゲットプロファイル、第１プルーフプロファイル、および第２プルーフプロファイルの概念図である。
【図１０】Ｌ＊ａ＊ｂ＊空間におけるカラースキャナ１０の色再現領域、およびＣＴＰ３０と印刷機４０とで構成されるターゲットデバイスの色再現領域を示す図である。
【図１１】ページ画像データが取得されて、プルーフ画像と印刷画像とが作成される一連の処理の流れを示すフローチャート図である。
【図１２】マッピングプロファイルの概念図である。
【符号の説明】
【０１０８】
１０    カラースキャナ
２０    ワークステーション
２１    編集装置
２２    色変換装置
２３    印刷用ＲＩＰ装置
２４    印刷用網掛装置
２５    プルーファ用ＲＩＰ装置
２６    プルーファ用網掛装置
３０    ＣＴＰ
４０    印刷機
４０ａ    印刷画像
５１    網点プルーファ
５１ａ    プルーフ画像
５２    階調プルーファ
５２ａ    プルーフ画像
２０１    本体装置
２０１ａ    ＦＤ装填口
２０１ｂ    ＣＤ−ＲＯＭ装填口
２０２ａ    表示画面
２０２    画像表示装置
２０３    キーボード
２０４    マウス
２０５    バス
２１１    ＣＰＵ
２１２    主メモリ
２１３    ハードディスク装置
２１４    ＦＤドライブ
２１５    ＣＤ−ＲＯＭドライブ
２１６    入力インタフェース
２１７    出力インタフェース
３０    カラープリンタ
１００    ＦＤ
１１０    ＣＤ−ＲＯＭ
３００    色変換プログラム
３１０    画像データ取得部
３２０    色空間判別部
３３０    共通変換部
３４０    マッピング部
３５０    プルーフ変換部
３６０    純色保存部
３７０    プルーフ出力部
３８０    ターゲット変換部
３９０    ターゲット出力部
４１０    画像データ取得部
４２０    色空間判別部
４３１    第１共通変換部
４３２    第２共通変換部
４４１    第１マッピング部
４４２    第２マッピング部
４５１    第１プルーフ変換部
４５２    第２プルーフ変換部
４６０    純色保存部
４７０    プルーフ出力部
４８０    ターゲット変換部
４９０    ターゲット出力部
【図１】
2007318662.tif 000003
【図２】
2007318662.tif 000004
【図３】
2007318662.tif 000005
【図４】
2007318662.tif 000006
【図５】
2007318662.tif 000007
【図６】
2007318662.tif 000008
【図７】
2007318662.tif 000009
【図８】
2007318662.tif 000010
【図９】
2007318662.tif 000011
【図１０】
2007318662.tif 000012
【図１１】
2007318662.tif 000013
【図１２】
2007318662.tif 000014